【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
複数の処理工程の処理パラメータおよび処理順序を定義した印刷ジョブのジョブチケットに基づいていずれかの処理工程を実行するジョブ処理装置において、
前記ジョブチケットを受信する受信手段と、
前記受信手段によって受信されたジョブチケットにおいて定義された、前記ジョブ処理装置が実行する着目処理工程の処理の内容を認識する認識手段と、
前記認識手段によって認識された処理の処理状況を解析する解析手段と、
前記解析手段による解析の結果、前記処理状況がジョブチケット分割条件に一致する場合、前記処理状況に基づいて印刷ジョブにおける処理済み部分と印刷ジョブにおける未処理部分とを識別する識別手段と、
前記識別手段により識別された処理済み部分を次工程にて処理するために、前記処理済み部分における次工程用の処理パラメータを記述した第１ジョブチケットを生成するジョブチケット生成手段と、
前記ジョブチケット生成手段により生成された第１ジョブチケットを前記次工程の処理を実行するデバイスに引き渡す引渡手段と
を有するジョブ処理装置。
【請求項２】
前記ジョブチケット分割条件とは、前記解析手段によって解析された前記着目処理工程の処理状況が、前記着目処理工程における処理の中断をもたらす事象を示す情報であることを特徴とする請求項１に記載のジョブ処理装置。
【請求項３】
前記ジョブチケット生成手段では、前記着目処理工程において未処理部分を残すような事象が発生した場合、前記着目処理工程における処理状況に基づいて、処理済み部分については次工程に進めることが可能となるように次工程用の処理パラメータを記述した前記第１ジョブチケットを分割して生成し、前記着目処理工程にて未処理部分の処理を実行することができるように、前記未処理部分における前記着目処理工程用の処理パラメータを記述した第２ジョブチケットを分割して生成することを特徴とする請求項１または２に記載のジョブ処理装置。
【請求項４】
前記未処理部分を残すような事象には、前記着目処理工程の次工程における処理の単位に満たない端数部分の発生を含むことを特徴とする請求項３に記載のジョブ処理装置。
【請求項５】
前記ジョブチケット生成手段ではさらに、前記第２ジョブチケットを、前記着目処理工程における未処理部分の処理の完了後に、該着目処理工程の次工程以降の処理のために、前記第１ジョブチケットに基づくジョブチケットと結合することを特徴とする請求項３または４に記載のジョブ処理装置。
【請求項６】
前記ジョブチケット生成手段では、前記第１ジョブチケットに基づくジョブチケットおよび前記第２ジョブチケット内に、パスワードを記述し、該ジョブチケットの結合時に、前記パスワードに基づいて結合処理が可能か否かを判定することを特徴とする請求項５に記載のジョブ処理装置。
【請求項７】
前記ジョブチケット生成手段では、前記ジョブチケットを結合する際に、ジョブチケットが分割された前記着目処理工程の次工程において、結合しようとする各ジョブチケットによる処理部分が、連続した部分であるか否かを判定し、連続した部分であれば、前記ジョブチケットを結合することを特徴とする請求項５または６に記載のジョブ処理装置。
【請求項８】
複数の処理工程の処理順序を定義したワークフロー情報および各処理工程を実行すべきデバイス情報を管理し、前記ワークフロー情報に従って印刷ジョブを実行させるためのジョブチケットを生成する情報処理装置であって、
複数の処理工程におけるいずれかの着目処理工程の処理状況を該着目処理工程の処理を実行するデバイスから受信する受信手段と、
前記受信手段によって受信された前記着目処理工程の処理状況がジョブチケット分割条件に一致する場合、前記処理状況に基づいて印刷ジョブにおける処理済み部分と印刷ジョブにおける未処理部分とを認識する認識手段と、
前記認識手段により認識された処理済み部分を次工程にて処理するために、前記処理済み部分における次工程の処理パラメータを記述した第１ジョブチケットを生成するジョブチケット生成手段と、
前記ジョブチケット生成手段により生成された第１ジョブチケットを前記次工程の処理を実行するデバイスに引き渡す引渡手段と
をコンピュータにより実行させることを特徴とする情報処理装置。
【請求項９】
前記ジョブチケット分割条件とは、前記受信手段によって受信された前記着目処理工程の処理状況が、前記着目処理工程における処理の中断をもたらす事象を示す情報であることを特徴とする請求項８に記載の情報処理装置。
【請求項１０】
前記ジョブチケット生成手段では、着目処理工程において未処理部分を残すような事象が発生した場合、前記着目処理工程における処理状況に基づいて、処理済み部分については次工程に進めることが可能となるように次工程用の処理パラメータを記述した前記第１ジョブチケットを分割生成し、前記着目処理工程にて未処理部分の処理を実行することができるように、前記未処理部分における前記着目処理工程用の処理のパラメータを記述した第２ジョブチケットを分割生成することを特徴とする請求項８または９に記載の情報処理装置。
【請求項１１】
前記未処理部分を残すような事象には、前記着目処理工程の次工程における処理の単位に満たない端数部分の発生を含むことを特徴とする請求項１０に記載の情報処理装置。
【請求項１２】
前記ジョブチケット生成手段ではさらに、前記第２ジョブチケットを、前記着目処理工程における未処理部分の処理の完了後に、該着目処理工程の次工程以降の処理のために、前記第１ジョブチケットに基づくジョブチケットと結合することを特徴とする請求項１０または１１に記載の情報処理装置。
【請求項１３】
前記ジョブチケット生成手段では、前記第１ジョブチケットに基づくジョブチケットおよび前記第２ジョブチケット内に、パスワードを記述し、該ジョブチケットの結合時に、前記パスワードに基づいて結合処理が可能か否かを判定することを特徴とする請求項１２に記載の情報処理装置。
【請求項１４】
前記ジョブチケット生成手段では、前記ジョブチケットを結合する際に、ジョブチケットが分割された前記着目処理工程の次工程において、結合しようとする各ジョブチケットによる処理部分が、連続した部分であるか否かを判定し、連続した部分であれば、前記ジョブチケットを結合することを特徴とする請求項１２または１３に記載の情報処理装置。
【請求項１５】
受信手段と認識手段と解析手段と識別手段とジョブチケット生成手段と引渡手段とを備えたジョブ処理装置において、複数の処理工程の処理パラメータおよび処理順序を定義した印刷ジョブのジョブチケットに基づいていずれかの処理工程を実行するジョブ処理方法であって、
前記受信手段が、前記ジョブチケットを受信する受信ステップと、
前記認識手段が、前記受信ステップによって受信されたジョブチケットにおいて定義された、前記ジョブ処理装置が実行する着目処理工程の処理の内容を認識する認識ステップと、
前記解析手段が、前記認識ステップによって認識された処理の処理状況を解析する解析ステップと、
前記識別手段が、前記解析ステップによる解析の結果、前記処理状況がジョブチケット分割条件に一致する場合、前記処理状況に基づいて印刷ジョブにおける処理済み部分と印刷ジョブにおける未処理部分とを識別する識別ステップと、
前記ジョブチケット生成手段が、前記識別ステップにより識別された処理済み部分を次工程にて処理するために、前記処理済み部分における次工程用の処理パラメータを記述した第１ジョブチケットを生成するジョブチケット生成ステップと、
前記引渡手段が、前記ジョブチケット生成手段により生成された第１ジョブチケットを前記次工程の処理を実行するデバイスに引き渡す引渡ステップと
を有することを特徴とするジョブ処理方法。
【請求項１６】
受信手段と認識手段とジョブチケット生成手段と引渡手段とを備えた情報処理装置において、複数の処理工程の処理順序を定義したワークフロー情報および各処理工程を実行すべきデバイス情報を管理し、前記ワークフロー情報に従って印刷ジョブを実行させるためのジョブチケットを生成する情報処理方法であって、
前記受信手段が、複数の処理工程におけるいずれかの着目処理工程の処理状況を該着目処理工程の処理を実行するデバイスから受信する受信ステップと、
前記認識手段が、前記受信ステップによって受信された前記着目処理工程の処理状況がジョブチケット分割条件に一致する場合、前記処理状況に基づいて印刷ジョブにおける処理済み部分と印刷ジョブにおける未処理部分とを認識する認識ステップと、
前記生成手段が、前記認識ステップにより認識された処理済み部分を次工程にて処理するために、前記処理済み部分における次工程の処理パラメータを記述した第１ジョブチケットを生成するジョブチケット生成ステップと、
前記引渡手段が、前記ジョブチケット生成ステップにより生成された第１ジョブチケットを前記次工程の処理を実行するデバイスに引き渡す引渡ステップと
を有することを特徴とする情報処理方法。
【請求項１７】
複数の処理工程の処理パラメータおよび処理順序を定義した印刷ジョブのジョブチケットに基づいていずれかの処理工程を実行するジョブ処理装置としてコンピュータを機能させるためのプログラムであって、
前記ジョブチケットを受信する受信手段と、
前記受信手段によって受信されたジョブチケットにおいて定義された、前記ジョブ処理装置が実行する着目処理工程の処理の内容を認識する認識手段と、
前記認識手段によって認識された処理の処理状況を解析する解析手段と、
前記解析手段による解析の結果、前記処理状況がジョブチケット分割条件に一致する場合、前記処理状況に基づいて印刷ジョブにおける処理済み部分と印刷ジョブにおける未処理部分とを識別する識別手段と、
前記識別手段により識別された処理済み部分を次工程にて処理するために、前記処理済み部分における次工程用の処理パラメータを記述した第１ジョブチケットを生成するジョブチケット生成手段と、
前記ジョブチケット生成手段により生成された第１ジョブチケットを前記次工程の処理を実行するデバイスに引き渡す引渡手段と
してコンピュータを機能させるためのプログラム。
【請求項１８】
複数の処理工程の処理順序を定義したワークフロー情報および各処理工程を実行すべきデバイス情報を管理し、前記ワークフロー情報に従って印刷ジョブを実行させるためのジョブチケットを生成する情報処理装置としてコンピュータを機能させるためのプログラムであって、
複数の処理工程におけるいずれかの着目処理工程の処理状況を該着目処理工程の処理を実行するデバイスから受信する受信手段と、
前記受信手段によって受信された前記着目処理工程の処理状況がジョブチケット分割条件に一致する場合、前記処理状況に基づいて印刷ジョブにおける処理済み部分と印刷ジョブにおける未処理部分とを認識する認識手段と、
前記認識手段により認識された処理済み部分を次工程にて処理するために、前記処理済み部分における次工程の処理パラメータを記述した第１ジョブチケットを生成するジョブチケット生成手段と、
前記ジョブチケット生成手段により生成された第１ジョブチケットを前記次工程の処理を実行するデバイスに引き渡す引渡手段と
してコンピュータを機能させるためのプログラム。
【手続補正２】
【補正対象書類名】明細書
【補正対象項目名】００１１
【補正方法】変更
【補正の内容】
【００１１】
上述した課題を解決するために、本発明は、以下の構成を備える。すなわち、複数の処理工程の処理順序を定義したワークフロー情報および各処理工程を実行すべきデバイス情報を管理し、前記ワークフロー情報に従って印刷ジョブを実行させるためのジョブチケットを生成する情報処理装置であって、複数の処理工程におけるいずれかの着目処理工程の処理状況を該着目処理工程の処理を実行するデバイスから受信する受信手段と、前記受信手段によって受信された前記着目処理工程の処理状況がジョブチケット分割条件に一致する場合、前記処理状況に基づいて印刷ジョブにおける処理済み部分と印刷ジョブにおける未処理部分とを認識する認識手段と、前記認識手段により認識された処理済み部分を次工程にて処理するために、前記処理済み部分における次工程の処理パラメータを記述した第１ジョブチケットを生成するジョブチケット生成手段と、前記ジョブチケット生成手段により生成された第１ジョブチケットを前記次工程の処理を実行するデバイスに引き渡す引渡手段とを備える。
【手続補正３】
【補正対象書類名】明細書
【補正対象項目名】００１２
【補正方法】変更
【補正の内容】
【００１２】
また、複数の処理工程の処理パラメータおよび処理順序を定義した印刷ジョブのジョブチケットに基づいて所定の処理工程を実行するジョブ処理装置において、前記ジョブチケットを受信する受信手段と、前記受信手段によって受信されたジョブチケットにおいて定義された、前記ジョブ処理装置が実行する着目処理工程の処理の内容を認識する認識手段と、前記認識手段によって認識された処理の処理状況を解析する解析手段と、前記解析手段による解析の結果、前記処理状況が所定の条件に一致する場合、前記処理状況に基づいて印刷ジョブにおける処理済み部分と印刷ジョブにおける未処理部分とを識別する識別手段と、前記識別手段により識別された処理済み部分を次工程にて処理するために、前記処理済み部分における次工程用の処理パラメータを記述した第１ジョブチケットを生成するジョブチケット生成手段と、前記ジョブチケット生成手段により生成された第１ジョブチケットを前記次工程の処理を実行するデバイスに引き渡す引渡手段を有する。